(57)【要約】【課題】ユーザの操作負担を省くことができる画像形成装置、画像生成方法、コンピュータプログラム、並びに該コンピュータプログラムが記録された記録媒体を提供する。【解決手段】原稿の画像から読み取った読取画像に基づいて、前記画像に重畳すべき重畳画像を生成するのにおいて、該読取画像が含む特定画像を抽出し、抽出された特定画像に係る位置に、前記重畳画像の構成要素となる要素画像を配置することにより該重畳画像を生成する。【選択図】図９
2015076814.tif 000002
【特許請求の範囲】
【請求項１】
原稿の画像から読み取った読取画像に基づいて、前記画像に重畳すべき重畳画像を生成し、該画像上に画像形成を行なう画像形成装置において、
前記読取画像が含む特定画像を抽出する抽出手段と、
該抽出手段によって抽出された特定画像に係る位置に、前記重畳画像の構成要素となる要素画像を配置して該重畳画像を生成する生成手段と
を備えることを特徴とする画像形成装置。
【請求項２】
前記特定画像は複数種であり、
特定画像毎に異なる要素画像を記憶する記憶部を備え、
前記生成手段は、前記抽出手段によって抽出された特定画像に係る位置に基づき、該特定画像に対応する要素画像が占める領域を定めるように構成されていることを特徴とする請求項１に記載の画像形成装置。
【請求項３】
前記特定画像は手書きを含み、
該手書きの入力を受け付ける手書き受付手段を備えることを特徴とする請求項１又は２に記載の画像形成装置。
【請求項４】
前記記憶部に記憶されている複数種の特定画像から何れかの選択を受け付ける選択受付手段を備え、
前記抽出手段は、該選択受付手段が受け付けた選択に係る特定画像を抽出するように構成されていることを特徴とする請求項２に記載の画像形成装置。
【請求項５】
前記複数種の特定画像は、対応する要素画像が文字列である一種の特定画像を含み、
該一種の特定画像に係る位置に配置すべき文字列を受け付ける文字列受付手段を備えることを特徴とする請求項２又は４に記載の画像形成装置。
【請求項６】
前記生成手段が生成した重畳画像を前記読取画像に重畳して該重畳画像に係るプレビュー画像を表示する表示制御手段を備えることを特徴とする請求項１から５の何れかに記載の画像形成装置。
【請求項７】
前記生成手段は、前記重畳画像を拡大又は縮小できるように構成されていることを特徴とする請求項１から６の何れかに記載の画像形成装置。
【請求項８】
前記要素画像毎の変更指示を受け付ける変更受付手段を備え、
前記生成手段は、該変更受付手段が受け付けた変更指示に基づいて前記重畳画像を変更するように構成されていることを特徴とする請求項１から７の何れかに記載の画像形成装置。
【請求項９】
前記特定画像の入力を受け付ける特定画像受付手段を備えており、
前記記憶部は、一つの要素画像に対して複数の異種の特定画像を対応付けて記憶していることを特徴とする請求項２、４又は５に記載の画像形成装置。
【請求項１０】
原稿の画像から読み取った読取画像に基づいて、前記画像に重畳すべき重畳画像を生成する画像生成方法において、
前記読取画像が含む特定画像を抽出する抽出ステップと、
該抽出ステップによって抽出された特定画像に係る位置に、前記重畳画像の構成要素となる要素画像を配置して該重畳画像を生成するステップと
を含むことを特徴とする画像生成方法。
【請求項１１】
原稿の画像から読み取った読取画像に基づいて、前記画像に重畳すべき重畳画像を生成し、該画像上に画像形成を行なう画像形成装置を構成するコンピュータに、前記重畳画像を生成させるコンピュータプログラムにおいて、
コンピュータに、前記読取画像が含む特定画像を抽出させる抽出ステップと、
コンピュータに、前記抽出ステップによって抽出された特定画像に係る位置に、前記重畳画像の構成要素となる要素画像を配置して該重畳画像を生成させるステップと
を実行させることを特徴とするコンピュータプログラム。
【請求項１２】
請求項１１に記載のコンピュータプログラムを記録してあることを特徴とするコンピュータでの読み取りが可能な記録媒体。
【発明の詳細な説明】
【技術分野】
【０００１】
本発明は、原稿の画像から読み取った読取画像に基づいて、前記画像に重畳すべき重畳画像を生成し、該画像上に画像形成を行なう画像形成装置、画像生成方法及びコンピュータプログラム、並びに該コンピュータプログラムが記録された記録媒体に関する。
【背景技術】
【０００２】
近年の画像形成装置においては、その多くが、印刷データに「社外秘」、「複写」などの画像を付加して記録用紙に出力するウォーターマーク（透かし）、又は画像形成装置に登録された画像データを付加する機能、また、マニュアル、取扱説明書などの冊子を作成する作業において、印刷物に訂正が必要となった場合、訂正内容を記した合い紙を前記冊子に機械的に挿入する機能等を有している。
【０００３】
また、特許文献１には、用紙搬送路上に搬送される印刷済みの用紙の画像を読み取ってスキャン画像を生成した後、前記用紙搬送路に保持された前記印刷済みの用紙を修正領域が上書き位置となるように搬送して、前記修正領域を用紙と同色のトナーで上書き印刷して消去し、前記修正領域を消去した後に、再度、前記修正領域の上書き位置に前記印刷済みの用紙を搬送して、前記修正領域に修正情報を上書き印刷する複合機が開示されている。
【先行技術文献】
【特許文献】
【０００４】
【特許文献１】特開２０１０−９３５２８号公報
【発明の概要】
【発明が解決しようとする課題】
【０００５】
しかしながら、特許文献１に係る複合機は、個々の原稿に対して実物でないスキャン画像を視認しながら修正を行なうため作業性が悪く、修正すべき原稿が大量にある場合にはユーザに大きな負担となる。
【０００６】
本発明は、斯かる事情に鑑みてなされたものであり、その目的とするところは、原稿の画像から読み取った読取画像に基づいて、前記画像に重畳すべき重畳画像を生成するにおいて、該読取画像が含む特定画像を抽出し、抽出された特定画像に係る位置に、前記重畳画像の構成要素となる要素画像を配置して該重畳画像を生成することにより、原稿そのものに特定画像を付し、生成された重畳画像を同一画像の他の原稿にも適用できるので個々の原稿に対して同じ修正作業を繰り返す必要がない等、ユーザの操作負担を省くことができる画像形成装置、画像生成方法及びコンピュータプログラム、並びに該コンピュータプログラムが記録された記録媒体を提供することにある。
【課題を解決するための手段】
【０００７】
本発明に係る画像形成装置は、原稿の画像から読み取った読取画像に基づいて、前記画像に重畳すべき重畳画像を生成し、該画像上に画像形成を行なう画像形成装置において、前記読取画像が含む特定画像を抽出する抽出手段と、該抽出手段によって抽出された特定画像に係る位置に、前記重畳画像の構成要素となる要素画像を配置して該重畳画像を生成する生成手段とを備えることを特徴とする。
【０００８】
本発明に係る画像形成装置は、前記特定画像は複数種であり、特定画像毎に異なる要素画像を記憶する記憶部を備え、前記生成手段は、前記抽出手段によって抽出された特定画像に係る位置に基づき、該特定画像に対応する要素画像が占める領域を定めるように構成されていることを特徴とする。
【０００９】
本発明に係る画像形成装置は、前記特定画像は手書きを含み、該手書きの入力を受け付ける手書き受付手段を備えることを特徴とする。
【００１０】
本発明に係る画像形成装置は、前記記憶部に記憶されている複数種の特定画像から何れかの選択を受け付ける選択受付手段を備え、前記抽出手段は、該選択受付手段が受け付けた選択に係る特定画像を抽出するように構成されていることを特徴とする。
【００１１】
本発明に係る画像形成装置は、前記複数種の特定画像は、対応する要素画像が文字列である一種の特定画像を含み、該一種の特定画像に係る位置に配置すべき文字列を受け付ける文字列受付手段を備えることを特徴とする。
【００１２】
本発明に係る画像形成装置は、前記生成手段が生成した重畳画像を前記読取画像に重畳して該重畳画像に係るプレビュー画像を表示する表示制御手段を備えることを特徴とする。
【００１３】
本発明に係る画像形成装置は、前記生成手段は、前記重畳画像を拡大又は縮小できるように構成されていることを特徴とする。
【００１４】
本発明に係る画像形成装置は、前記要素画像毎の変更指示を受け付ける変更受付手段を備え、前記生成手段は、該変更受付手段が受け付けた変更指示に基づいて前記重畳画像を変更するように構成されていることを特徴とする。
【００１５】
本発明に係る画像形成装置は、前記特定画像の入力を受け付ける特定画像受付手段を備えており、前記記憶部は、一つの要素画像に対して複数の異種の特定画像を対応付けて記憶していることを特徴とする。
【００１６】
本発明に係る画像生成方法は、原稿の画像から読み取った読取画像に基づいて、前記画像に重畳すべき重畳画像を生成する画像生成方法において、前記読取画像が含む特定画像を抽出する抽出ステップと、該抽出ステップによって抽出された特定画像に係る位置に、前記重畳画像の構成要素となる要素画像を配置して該重畳画像を生成するステップとを含むことを特徴とする。
【００１７】
本発明に係るコンピュータプログラムは、原稿の画像から読み取った読取画像に基づいて、前記画像に重畳すべき重畳画像を生成し、該画像上に画像形成を行なう画像形成装置を構成するコンピュータに、前記重畳画像を生成させるコンピュータプログラムにおいて、コンピュータに、前記読取画像が含む特定画像を抽出させる抽出ステップと、コンピュータに、前記抽出ステップによって抽出された特定画像に係る位置に、前記重畳画像の構成要素となる要素画像を配置して該重畳画像を生成させるステップとを実行させることを特徴とする。
【００１８】
本発明に係る記録媒体は、前述の発明のコンピュータプログラムを記録してあることを特徴とする。
【発明の効果】
【００１９】
本発明によれば、原稿そのものに特定画像を付し、かつ、生成された重畳画像を同一画像の他の原稿にも適用できるので個々の原稿に対して同じ修正作業を繰り返す必要がない等、ユーザの操作負担を省くことができる。また、これによって、元の原稿を破棄せず修正して利用可能であるので、資源の浪費を防ぐことができる。
【図面の簡単な説明】
【００２０】
【図１】本発明の実施の形態１に係る複合機の要部構成を示す機能ブロック図である。
【図２】本発明の実施の形態１に係る複合機の制御部の要部構成を示す機能ブロック図である。
【図３】本発明の実施の形態１に係る複合機において、手書きの印の入力を受け付けるために、表示部に表示される操作画面である。
【図４】本発明の実施の形態１に係る複合機における、重畳画像の生成を説明するフローチャートである。
【図５】本発明の実施の形態１に係る複合機における、重畳画像の生成を説明するフローチャートである。
【図６】本発明の実施の形態１に係る複合機において、手書きの印が書き込まれていない状態の元の原稿を示す図である。
【図７】読み取りされる原稿に、ユーザが手書きの印を書き込んだ場合を例示する例示図である。
【図８】本発明の実施の形態１に係る複合機において、生成部によって生成された重畳画像を概念的に示す概念図である。
【図９】本発明の実施の形態１に係る複合機における、重畳画像に係るプレビュー画像の表示例を示す例示図である。
【図１０】本発明の実施の形態２に係る複合機における、重畳画像の生成を説明するフローチャートである
【図１１】本発明の実施の形態３に係る複合機における、重畳画像の生成を説明するフローチャートである
【図１２】本発明の実施の形態３に係る複合機における、重畳画像の生成を説明するフローチャートである
【図１３】元の原稿に、ユーザが必要に応じて印を付した場合を例示する例示図である。
【図１４】本発明の実施の形態４に係る複合機の要部構成を示す機能ブロック図である。
【発明を実施するための形態】
【００２１】
以下に、本発明の実施の形態に係る画像形成装置、画像生成方法及びコンピュータプログラムを、いわゆるタッチパネルの機能を有する複合機に適用した場合を例として、図面に基づいて詳述する。
【００２２】
（実施の形態１）
図１は本発明の実施の形態１に係る複合機１００の要部構成を示す機能ブロック図である。複合機１００は、制御部１と、ＣＰＵ２と、ＲＯＭ３と、ＲＡＭ４と、記憶部５と、画像読取部６と、操作パネル７と、画像出力部８と、表示部９と、給紙部１０と、タッチパネル部２０とを備えている。
【００２３】
また、本発明の実施の形態１に係る複合機１００は、原稿の画像から読み取った読取画像に基づいて、前記画像に重畳すべき重畳画像を生成し、斯かる原稿の画像上に、該重畳画像に基づく画像形成を行なう。前記重畳画像は、一又は複数の要素画像によって構成されており、ユーザは必要に応じて、前記重畳画像の構成を変更することができる。
【００２４】
例えば、既に印刷したプレゼンテーション用の原稿に社内秘に係る記載があったことを後で見つかった場合、斯かるプレゼンテーション用の原稿を作り直すのではなく、前記重畳画像を生成し、該プレゼンテーション用の原稿上に重畳して画像形成（印刷）することにより、社内秘に係る記載に内容を隠す。
【００２５】
ＲＯＭ３には各種の制御プログラム、演算用のパラメータのうちの基本的に固定のデータ等が予め格納されており、ＲＡＭ４はデータを一時的に記憶し、記憶順、記憶位置等に関係なく読み出すことが可能である。また、ＲＡＭ４は、例えば、ＲＯＭ３から読み出されたプログラム、該プログラムを実行することにより発生する各種データ、該実行の際適宜変化するパラメータ等を記憶する。
【００２６】
ＣＰＵ２は、ＲＯＭ３に予め格納されている制御プログラムをＲＡＭ４上にロードして実行することによって、上述した各種ハードウェアの制御を行ない、装置全体を本発明の複合機１００として動作させる。また、ＣＰＵ２は、タッチパネル部２０を介して、ユーザから所定処理の指示を受け付ける。    
【００２７】
記憶部５は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００２８】
また、記憶部５は、後述する印（特定画像）毎に、対応する要素画像を対応づけて記憶する。更に、一つの要素画像を、複数種の印に対応づけて記憶するように構成しても良い。
【００２９】
ここで、要素画像は、前記重畳画像を構成する部分画像であり、例えば、所定の領域を占める不透明・半透明の図形、所定の領域を囲む線図の図形、削除線、二重取消線等を含む。
【００３０】
また、前記要素画像には、文字列が含まれる。例えば、プレゼンテーション用の原稿のユーザが該原稿の作成時に記載を忘れたものがあれば、前記重畳画像の要素画像として追加することにより、斯かるプレゼンテーション用の原稿を作り直すのではなく、斯かる記載内容が追記される。
【００３１】
表示部９は、例えば、ＬＣＤ又はＥＬ（Electroluminescence）パネル等からなり、画像出力部８を介して、所定の記録用紙へ出力（印刷）すべき画像が表示される。例えば、表示部９は、前記重畳画像に係るプレビュー画像を表示し、また、当該原稿の読取画像に該プレビュー画像を重畳して表示する。
【００３２】
更に、表示部９は、複合機１００の状態、ジョブ処理の状況、画像読取部６が読み取った原稿の画像及び操作パネル７の操作内容の確認等、ユーザに対して報知すべき情報を表示する。また、表示部９の表示画面はタッチパネル部２０によって覆われている。
【００３３】
タッチパネル部２０は、タッチパネルを有しており、タッチパネルは表示部９の表示画面を覆うように設けられている。従って、タッチパネル部２０はユーザのタッチ操作により表示部９の表示画面上における所定位置を検出することができる。タッチパネル部２０はユーザの指先のタッチ操作による圧力の変化を検知し、又は静電気による電気信号を検知して、ユーザの指先の接触位置に対応する表示部９の表示画面上の座標を検出し、該座標を特定する信号を発生する。また、タッチパネル部２０は、これに限るものでなく、ポインティングデバイス（例えば、スタイラスペン）等を用いる構成であっても良い。
【００３４】
画像読取部６は、読み取り用の原稿に光を照射する光源、ＣＣＤ（Charge Coupled Device）のようなイメージセンサ等を有し、該原稿の画像データの光学的読み取りを行なう。また、画像読取部６では、所定の読取り位置に載置された原稿からの反射光像を当該イメージセンサに結像させ、ＲＧＢ（R : Red, G : Green, B : Blue）のアナログデータを出力する。
【００３５】
画像出力部８は、画像読取部６が読み取った原稿の読取画像、又は、後述する制御部１の生成部１２によって生成された重畳画像に基づく画像を記録用紙、ＯＨＰフィルム等の記録媒体上に印刷する。画像出力部８は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００３６】
また、操作パネル７は、複合機１００における「ファクシミリ」、「印刷」、「メール」等の機能を切り替える機能ボタン、テンキー、スタートキー、キャンセルキー、受け付けた指示を確定するためのエンターキー、画像読取部６を介して読み取った原稿の画像をシート状の記録媒体上に画像形成するための「コピー」キー等を備えている。
【００３７】
また、操作パネル７には、重畳画像を作成する旨の指示を受け付ける「重畳画像作成」のハードキー又はソフトキーが設けられており、ユーザは斯かる「重畳画像作成」キーを適宜操作することにより、重畳画像を作成することができる。
【００３８】
以上の構成を用いて、本発明の実施の形態１に係る複合機１００は、前記タッチパネルを介してユーザから表示部９へのタッチ操作を受け付け、印の入力、文字列（要素画像）の入力、既に記憶されている印の選択、生成された重畳画像の変更に係る指示等を受け付ける。
【００３９】
例えば、ユーザが表示部９の表示画面（タッチパネル）に指先を触れることにより、タッチパネル部２０はタッチ操作を受け付ける。この場合、タッチパネル部２０は、タッチされた点の位置を検出し、この点の座標を特定する信号をＣＰＵ２に送出する。
【００４０】
ＣＰＵ２は、タッチパネル部２０から前記信号（座標）を取得して、例えば、表示部９に表示されているソフトキーの内、該座標に対応する位置のソフトキーが操作されたものと認識する。
【００４１】
給紙部１０は、記録用紙、ＯＨＰフィルム等の記録媒体をサイズ毎に収納したカセットを１又は複数有しており、印刷の際、制御部１の指示に応じて特定サイズの用紙を１枚ずつ給紙すべく構成されている。
【００４２】
図２は本発明の実施の形態１に係る複合機１００の制御部１の要部構成を示す機能ブロック図である。
【００４３】
制御部１は、抽出部１１と、生成部１２と、手書き受付部１３と、選択受付部１４と、文字列受付部１５と、表示制御部１６と、変更受付部１７と、印受付部１８とを備えている。
【００４４】
抽出部１１は、原稿の読取画像から特定の印を抽出する。斯かる印は記憶部５に予め記憶されている複数種の図形、文字、記号等である。また、これに限るものではなく前記印は、手書きの図形、文字、記号等であっても良い。このように、前記印が手書きの図形、文字、記号等である場合は、手書き受付部１３がタッチパネル部２０を介して斯かる手書きの印の入力を受け付ける。
【００４５】
生成部１２は、抽出部１１によって抽出された印に係る位置に、前記重畳画像の構成要素となる要素画像を配置して、当該原稿の画像に重畳すべき重畳画像を生成する。また、生成部１２は、生成された重畳画像における各要素画像を変更することによって、該重畳画像を変更し、生成された重畳画像の拡大又は縮小を行なう。
【００４６】
手書き受付部１３は、上述したように、タッチパネル部２０を介して斯かる手書きの印の入力を受け付ける。図３は本発明の実施の形態１に係る複合機１００において、手書きの印の入力を受け付けるために、表示部９に表示される操作画面である。説明の便宜上、前記要素画像が所定の領域を塗りつぶす不透明の図形、所定の領域を囲む線図の図形、二重取消線、及び文字列（すなわち、追記）であるとする。
【００４７】
図３に示す操作画面には、「二重取消線」、「四角で囲む」、「四角で塗りつぶす」、「追記」の項目があり、各項目毎に手書き入力欄が設けられている。ユーザは、例えば、スタイラスペンを用いて前記手書き入力欄に適宜手書きの印を書き込むことにより入力する。
【００４８】
すなわち、図３に示したように、ユーザは「二重取消線」、「四角で囲む」、「四角で塗りつぶす」、「追記」の項目に係る各手書き入力欄に、夫々丸付バツ、三角、星印及び丸付プラスを手書きにて書き込む。（以下、丸付バツ及び丸付プラスを単にバツ及びプラスという。）
【００４９】
これによって、「二重取消線」、「四角で囲む」、「四角で塗りつぶす」、「追記」という要素画像に対して、夫々バツ、三角、星印及びプラスという手書きの印が受け付けられ、記憶部５がこれらを関連付けて記憶する。
【００５０】
より詳しくは、タッチパネル部２０は、ユーザから手書き入力欄内に手書きの印が入力されると、ペン先の軌跡を読み取り、読み取られた軌跡は、ＲＡＭ４上に確保された手書き認識用のワークエリアに入力される。また、制御部１は、入力の軌跡を表示部９に表示させる。
【００５１】
また、この際、ＣＰＵ２が手書き認識処理用に用意している処理プログラムを実行することにより、手書き入力欄内に入力された手書きの印（ペン先の軌跡）を記憶部５の所定領域に記憶して登録する。
【００５２】
抽出部１１は、記憶部５の所定領域に登録されている手書きの印を照合することにより、原稿の読取画像から特定の印を抽出する。このような軌跡の照合に係る技術としては、公知のパターン認識技術が適用され得る。
【００５３】
このように、手書きの印が抽出された場合、例えば、「バツ」の印が抽出された場合、生成部１２は、「バツ」に係る位置に、対応する要素画像である二重取消線を配置し、「三角」の印が抽出された場合、生成部１２は、「三角」に係る位置に、対応する要素画像である白抜きの四角を配置する。
【００５４】
文字列受付部１５は、プラスの印に係る位置に配置すべき文字列の入力を受け付ける。すなわち、プラスの印に対応する要素画像は「追記」であり、文字列受付部１５は追記すべき文字列の入力を受け付ける。
【００５５】
図３に示す操作画面には、「追記事項」の項目があり、これに対応する手書き入力欄が設けられている。ユーザは、例えば、スタイラスペンを用いて前記手書き入力欄に適宜追記すべき事項を書き込むことにより入力する。
【００５６】
これによって、「追記」という要素画像に係る追記事項として当該手書き入力欄に書き込まれた事項が受け付けられ、記憶部５がこれを「追記」の要素画像に関連付けて記憶する。
【００５７】
すなわち、上述したように、手書き入力欄内に追記事項が入力されると、タッチパネル部２０がペン先の軌跡を読み取り、読み取られた軌跡は、ＲＡＭ４上に入力される。また、制御部１は、斯かる入力の軌跡を表示部９に表示させる。また、読み取られた軌跡に基づいて、公知のＯＣＲ処理が施され、読み取られた軌跡にマッチする文字・図形として認識して記憶される。
【００５８】
選択受付部１４は、既に記憶部５に記憶されている複数種の印から何れかの印の選択を受け付ける。すなわち、ユーザは操作パネル７又はタッチパネル部２０を適宜操作することにより、記憶部５に既に記憶されている複数種の印を表示部９に表示させて何れかの印を選択する。
【００５９】
例えば、図３に示す操作画面おいては、「記憶データから選択」のソフトキーが設けられており、ユーザが斯かるソフトキーをタッチ操作することにより、記憶部５が既に記憶している複数種の印が表示部９に列挙させる。この際、ユーザは何れかの印を適宜タッチ操作すれば、タッチされた印が当該手書き入力欄に表示されることにより選択される。
【００６０】
このような操作の繰り返しによって、「二重取消線」、「四角で囲む」、「四角で塗りつぶす」、「追記」という要素画像に対して、夫々印が選択され、記憶部５がこれらを関連付けて記憶する。
【００６１】
表示制御部１６は表示部９への画像表示を制御する。例えば、表示制御部１６は生成部１２が生成した重畳画像に係るプレビュー画像を表示部９に表示する。また、表示制御部１６は前記読取画像に該重畳画像に係るプレビュー画像を重畳して表示する。
【００６２】
変更受付部１７は前記要素画像毎の変更指示を受け付ける。例えば、ユーザが何れかの要素画像をタッチ操作した場合、当該要素画像がアクティブ状態となり、ユーザはドラッグ−アンド−ドロップ等の操作を行ない、アクティブ状態の要素画像を移動させ、又は該要素画像の大きさ・色を変更することができる。この際、生成部１２は、変更受付部１７が受け付けた変更指示に基づいて当該要素画像を変更させ、これにより前記重畳画像が変更される。
【００６３】
また、本発明の実施の形態１に係る複合機１００は、外部から印を受け付けることができる。例えば、送受信部（図示せず）と接続されたインターネットを介して、印受付部１８が印を受け付けることができる。また、印受付部１８はＵＳＢメモリのような外部メモリからも印を受け付けることができる。
【００６４】
図４及び図５は本発明の実施の形態１に係る複合機１００における、重畳画像の生成を説明するフローチャートである。説明の便宜上、図３に説明したように、「二重取消線」、「四角で囲む」、「四角で塗りつぶす」、「追記」という要素画像に対して、夫々バツ、三角、星印及びプラスという手書きの印が受け付けられる場合を例として説明する。
【００６５】
すなわち、原稿の読取画像にて、二つの「バツ」が抽出された場合、該二つのバツ間に二重取消線の要素画像を配置し、二つの「三角」が抽出された場合、該二つの三角を対角線の頂点とする矩形の領域に、該領域を取り囲む四角を配置する。また、原稿の読取画像にて、二つの「星印」が抽出された場合、該二つの星印を対角線の頂点とする矩形の領域に、該領域を塗りつぶす不透明の四角を配置し、又は斯かる二つの星印のＸ又はＹ座標が同一である場合は、該二つの星印間に、斯かる領域を塗りつぶす短冊状の不透明の四角を配置する。更に、原稿の読取画像にて、二つの「プラス」が抽出された場合は、該二つのプラスの間に、上述したように受け付けた「追記事項」を要素画像として配置する。
【００６６】
まず、ＣＰＵ２は操作パネル７を監視することにより、ユーザから何れかの機能の選択を受け付けたか否かを判定する（ステップＳ１０１）。
【００６７】
ＣＰＵ２はユーザから何れの機能の選択も受け付けていないと判定した場合（ステップＳ１０１：ＮＯ）、何れかの機能の選択を受け付けるまで斯かる判定を繰り返して行なう。
【００６８】
一方、ＣＰＵ２はユーザから何れかの機能の選択を受け付けたと判定した場合（ステップＳ１０１：ＹＥＳ）、受け付けた選択に係る機能が重畳画像の作成であるか否かを判定する（ステップＳ１０２）。
【００６９】
ＣＰＵ２は受け付けた選択に係る機能を重畳画像の作成でないと判定した場合（ステップＳ１０２：ＮＯ）、すなわち、受け付けた選択に係る機能が重畳画像の作成でない他の機能である場合、受け付けた機能の実行を行なう（ステップＳ１１１）。
【００７０】
一方、ＣＰＵ２が受け付けた選択に係る機能を重畳画像の作成であると判定した場合（ステップＳ１０２：ＹＥＳ）、手書き受付部１３はユーザから手書きの印の入力を受け付ける（ステップＳ１０３）。
【００７１】
すなわち、ＣＰＵ２が図３にて示したような操作画面を表示部９に表示し、手書き受付部１３がユーザから手書きの印の入力を受け付ける。本実施例においては、上述したように「二重取消線」、「四角で囲む」、「四角で塗りつぶす」、「追記」という項目に対して、夫々バツ、三角、星印及びプラスという手書きの印が入力されるものとする。また、手書き受付部１３による手書きの印の入力の受け付けについては既に説明しており、詳しい説明を省略する。受け付けた手書きの印（ペン先の軌跡）は記憶部５の所定領域に記憶して登録される。
【００７２】
手書き受付部１３が前記操作画面を介してユーザから手書きの印の入力を受け付ける際、文字列受付部１５は追記すべき追記事項についてもユーザから入力を受け付ける（ステップＳ１０４）。すなわち、文字列受付部１５は前記操作画面の「追記事項」の項目に係る手書き入力欄に書き込まれた文字列を追記事項として受け付ける。本実施例においては、「ＸＸＸ理論を用いたＢＢＢ実施結果」との追記事項の入力を受け付けたとする。受け付けた追記事項は、上述したようにＯＣＲ処理が施され、受け付けた手書きの入力にマッチする文字・図形が記憶部５に記憶される。
【００７３】
このようにして手書きの印の入力及び追記事項の入力の受け付けが終了した場合、ＣＰＵ３は表示部９に案内表示を行ない、ユーザは斯かる案内表示に応じて、複合機１００の原稿台（図示せず）に原稿を載置し、操作パネル７を適宜操作することにより、該原稿の読み取りを指示する。
【００７４】
図６は本発明の実施の形態１に係る複合機１００において、手書きの印が書き込まれていない状態の元の原稿を示す図である。ユーザはこのような元の原稿に、ステップＳ１０３にて入力した手書きの印と同様の手書きの印を、必要に応じて該元の原稿に手書きにて記載する。
【００７５】
例えば、ユーザは、所定の文書を削除したい場合、該文書の頭と尾とに丸付けバツを書き込み、四角で囲みたい部分には該四角の対角線の頂点になるところに三角を書き込み、四角で塗りつぶしたい部分には該四角の対角線の頂点になるところに星印を書き込み、また、追記したい箇所には、斯かる箇所の範囲を表す２つの丸付けプラスを書き込む。
【００７６】
図７は読み取りされる原稿に、ユーザが手書きの印を書き込んだ場合を例示する例示図である。ユーザは、このように、手書きの印を書き込んだ原稿を複合機１００の前記原稿台に載置し、操作パネル７を適宜操作することにより、該原稿の読み取りを指示する。
【００７７】
この際、ＣＰＵ２は操作パネル７を介して斯かる原稿の読み取りの指示を受け付け、画像読取部６に当該原稿の読取を指示する。画像読取部６はＣＰＵ２の指示に応じて原稿の読み取りを実行する（ステップＳ１０５）。
【００７８】
このように画像読取部６によって原稿の読取画像が得られた場合、抽出部１１は斯かる読取画像から手書きの印の抽出を行なう（ステップＳ１０６）。すなわち、抽出部１１はステップＳ１０３にて受け付けられ、記憶部５に記憶されている、手書きの印を照会することにより、前記読取画像から手書きの印の抽出を行なう。
【００７９】
次いで、生成部１２は、抽出部１１による手書きの印の抽出結果に基づいて、重畳画像の生成を行なう（ステップＳ１０７）。
【００８０】
すなわち、本実施例においては、抽出部１１によって前記読取画像からバツ、三角、星印及びプラスの手書きの印が抽出され、生成部１２は、記憶部５に記憶されている内容に基づいて、抽出された各手書きの印に対応する要素画像を、該手書きの印に係る位置に配置する。
【００８１】
図８は本発明の実施の形態１に係る複合機１００において、生成部１２によって生成された重畳画像を概念的に示す概念図である。
【００８２】
生成部１２は、抽出された各手書きの印の位置に基づき、当該重畳画像において各要素画像が占めるべき領域を定めて、各手書きの印に対応する要素画像を配置する。すなわち、抽出された二つのバツの手書きの印に対しては、二つのバツの印の間に、対応する二重取消線の要素画像が配置され、抽出された二つの三角の手書きの印に対しては、該二つの三角を対角線の頂点とする矩形の領域に、該領域を取り囲む四角が配置されている。また、抽出された二つの星印の手書きの印に対しては、該二つの星印を対角線の頂点とする矩形の領域に、該領域を塗りつぶす不透明の四角が配置され、斯かる二つの星印のＸ又はＹ座標が同一である場合は、該二つの星印の間に、斯かる領域を塗りつぶす短冊状の不透明の四角が配置されている。更に、抽出された二つのプラスの手書きの印に対しては、該二つのプラスの間に、ステップＳ１０４にて受け付けた追記事項に係る文字列が要素画像として配置されている。
【００８３】
次いで、表示制御部１６は生成部１２が生成した重畳画像に係るプレビュー画像を、前記読取画像に重畳して表示部９に表示する（ステップＳ１０８）。
【００８４】
図９は本発明の実施の形態１に係る複合機１００における、重畳画像に係るプレビュー画像の表示例を示す例示図である。図９に示すように、図８に示した重畳画像が前記読取画像に重畳され、元の原稿の複数箇所に対する、塗りつぶし、取り消し、追記、強調等が加えられている。
【００８５】
次いで、ユーザは斯かるプレビュー画像を視認しながら重畳画像を変更する。例えば、ユーザが何れかの要素画像を変更したい場合、斯かる要素画像をタッチ操作して、該要素画像を移動させ、又は該要素画像の大きさ・色を変更する。このような操作については既に説明しており、詳しい説明を省略する
【００８６】
この際、ＣＰＵ２はタッチパネル部２０を監視することにより、重畳画像の変更指示を受け付けたか否かを判定する（ステップＳ１０９）。
【００８７】
例えば、ユーザによって所定の要素画像がタッチ操作された場合、ＣＰＵ２は重畳画像の変更指示を受け付けたと判定し（ステップＳ１０９：ＹＥＳ）、変更受付部１７部は当該要素画像をアクティブ状態にし、ユーザから移動、大きさ・色変更等の指示を受け付ける。
【００８８】
この際、生成部１２は、変更受付部１７が受け付けた変更指示に基づいて当該要素画像を変更させ、これにより前記重畳画像が変更される（ステップＳ１１０）。
【００８９】
一方、所定時間の間、ユーザによる要素画像のタッチ操作がない場合、ＣＰＵ２は重畳画像の変更指示を受け付けていなかったと判定し（ステップＳ１０９：ＮＯ）、処理をステップＳ１１２に進める。
【００９０】
以上のように、重畳画像の変更が終了した場合、又は所定時間、重畳画像の変更の指示がなかった場合、ＣＰＵ２は斯かる重畳画像の作成に続く処理を続行するか否かを判定する（ステップＳ１１２）。
【００９１】
例えば、ＣＰＵ２は「重畳画像の作成に続く処理を続行して宜しいでしょうか」との案内文と共に、「ＹＥＳ」及び「ＮＯ」のソフトキーを表示部９に表示する。ＣＰＵ２は、何れかのソフトキーがタッチ操作されるか監視することにより、斯かる判定を行なう。
【００９２】
ユーザによって、「ＮＯ」のソフトキーがタッチ操作された場合、ＣＰＵ２は斯かる重畳画像の作成に続く処理を続行しないと判定し（ステップＳ１１２：ＮＯ）処理を終了する。
【００９３】
一方、ユーザによって、「ＹＥＳ」のソフトキーがタッチ操作された場合、ＣＰＵ２は斯かる重畳画像の作成に続く処理を続行すると判定し（ステップＳ１１２：ＹＥＳ）、作成された重畳画像に基づく画像形成のための設定の入力を受け付ける（ステップＳ１１３）。作成された重畳画像に基づく画像形成のための設定としては、例えば、給紙元（カセット）の設定が挙げられる。
【００９４】
斯かる設定の入力の受け付けが終わった場合、ＣＰＵ２は画像出力部８に、受け付けた設定に係るカセットから供給される記録用紙の上に、作成された重畳画像に基づく画像形成（印刷）を行なうよう指示する。ＣＰＵ２の指示に応じて、画像出力部８は、当該カセットに収納されている記録用紙に、作成された重畳画像に基づく画像形成を行なう（ステップＳ１１４）。
【００９５】
例えば、図６に示したような元の原稿が大量にある場合、該元の原稿を給紙部１０の特定のカセットに収納して、前記設定として当該特定のカセットを入力することにより、大量の元の原稿の各画像上に重畳して、作成された重畳画像に基づく画像が画像形成される。
【００９６】
すなわち、既に印刷したプレゼンテーション用の原稿に社内秘に係る記載があったことを後で見つかった場合、又は該原稿の作成時に記載を忘れたものがある場合、以上の記載のように、重畳画像を作成して斯かる大量の元の原稿上に重畳して印刷することにより、斯かるプレゼンテーション用の原稿を作り直すのではなく、既に印刷された原稿を破棄せずそのまま利用することができる。従って、ユーザの作業負担を軽減できると共に、記録用紙、インク、トナー等の資源の浪費を防ぐことができる。
【００９７】
（実施の形態２）
図１０は本発明の実施の形態２に係る複合機１００における、重畳画像の生成を説明するフローチャートである。説明の便宜上、実施の形態１と同一の例に基づいて説明する。
【００９８】
まず、ＣＰＵ２は操作パネル７を監視することにより、ユーザから何れかの機能の選択を受け付けたか否かを判定する（ステップＳ２０１）。
【００９９】
以降、ステップＳ２０２からステップＳ２１３までの処理は、実施の形態１における、ステップＳ１０２からステップＳ１１３までの処理と同一であり、詳しい説明を省略する。
【０１００】
ステップＳ２１３にて設定の入力の受け付けが終わった場合、ＣＰＵ２は、「重畳画像の倍率を変更しますか？」との案内文と共に、「ＹＥＳ」及び「ＮＯ」のソフトキーを表示部９に表示する。ＣＰＵ２は、何れかのソフトキーがタッチ操作されるか監視することにより、倍率変更の指示を受け付けたか否かの判定を行なう（ステップＳ２１４）。
【０１０１】
ユーザによって、所定時間の間、「ＮＯ」のソフトキーがタッチ操作されなかった場合、ＣＰＵ２は斯かる重畳画像の倍率変更の指示を受け付けていないと判定し（ステップＳ２１４：ＮＯ）処理をステップＳ２１５に進める。
【０１０２】
一方、ユーザによって、「ＹＥＳ」のソフトキーがタッチ操作された場合、ＣＰＵ２は斯かる重畳画像の倍率変更の指示を受け付けたと判定し（ステップＳ２１４：ＹＥＳ）、例えば、表示部９に「７０％」、「９０％」、「１５０％」、「２００％」等のソフトキーを表示させる。
【０１０３】
ユーザが前記複数のソフトキーのなか、何れかをタッチ操作した場合、ＣＰＵ２はタッチパネル部２０を介して斯かるソフトキーの選択を受け付け、選択されたソフトキーに応じた重畳画像の変更を、生成部１２に指示する。生成部１２は、ＣＰＵ２からの指示に応じて作成された重畳画像の倍率を変更する（ステップＳ２１７）。
【０１０４】
以上のように、重畳画像の倍率変更が終了した場合、又は所定時間、重畳画像の倍率変更の指示がなかった場合、ＣＰＵ２は画像出力部８に、受け付けた設定に係るカセットから供給される記録用紙の上に、作成された重畳画像に基づく画像形成（印刷）を行なうよう指示する。ＣＰＵ２の指示に応じて、画像出力部８は、当該カセットに収納されている記録用紙に作成された重畳画像に基づく画像形成を行なう（ステップＳ２１５）。
【０１０５】
ステップＳ２１５での画像形成（印刷）が終わった場合、ＣＰＵ２は、例えば、「重畳画像を再利用しますか？」との案内文と共に、「ＹＥＳ」及び「ＮＯ」のソフトキーを表示部９に表示する。ＣＰＵ２は、何れかのソフトキーがタッチ操作されるか監視することにより、重畳画像を再利用するか否かの判定を行なう（ステップＳ２１６）。
【０１０６】
ユーザによって、所定時間の間、ソフトキーがタッチ操作されなかった場合、「ＮＯ」のソフトキーがタッチ操作された場合、ＣＰＵ２は斯かる重畳画像を再利用しないと判定し（ステップＳ２１６：ＮＯ）処理を終了する。
【０１０７】
一方、ユーザによって、「ＹＥＳ」のソフトキーがタッチ操作された場合、ＣＰＵ２は斯かる重畳画像を再利用すると判定し（ステップＳ２１６：ＹＥＳ）、処理をステップＳ２１３に戻す。
【０１０８】
例えば、図６に示したような元の原稿が大量にあり、かつ斯かる元の原稿を縮小した配布用の資料もまた大量に存在する場合が想定される。このような場合、ユーザが当該元の原稿を給紙部１０の一のカセットに収納して、該元の原稿を縮小した配布資料を他のカセットに収納した後、先ず、前記設定として当該一のカセットを入力することにより、大量の元の原稿の各画像上に、作成された重畳画像に基づく画像の画像形成を行ない、続いて、前記設定として当該他のカセットを入力することにより、大量の配布資料の各画像上に、倍率変更された重畳画像に基づく画像の画像形成を行なう。
【０１０９】
これにより、斯かる元の原稿を作り直すのではなく、既に印刷された元の原稿及び配布資料を破棄せずそのまま利用することができる。従って、記録用紙、インク、トナー等の資源の浪費を防ぐことができる。
【０１１０】
実施の形態１と同様の部分については、同一の符号を付して詳細な説明を省略する。
【０１１１】
（実施の形態３）
実施の形態１においては、抽出部１１が抽出すべき手書きの印を、手書き受付部１３が受け付ける場合を例として説明したが、実施の形態３においては、抽出部１１が抽出すべき手書きの印を、実施の形態３に係る複合機１００の記憶部５が既に記憶している印のなかから選択することができる。
【０１１２】
図１１及び図１２は本発明の実施の形態３に係る複合機１００における、重畳画像の生成を説明するフローチャートである。説明の便宜上、実施の形態１と同一の例に基づいて説明する。また、記憶部５には、複数種の印が夫々の要素画像に対応付けて記憶されており、追記すべき文字列として複数の幾つかの文字列が記憶されている。
【０１１３】
まず、ＣＰＵ２は操作パネル７を監視することにより、ユーザから何れかの機能の選択を受け付けたか否かを判定する（ステップＳ３０１）。
【０１１４】
ＣＰＵ２はユーザから何れの機能の選択も受け付けていないと判定した場合（ステップＳ３０１：ＮＯ）、何れかの機能の選択を受け付けるまで斯かる判定を繰り返して行なう。
【０１１５】
一方、ＣＰＵ２はユーザから何れかの機能の選択を受け付けたと判定した場合（ステップＳ３０１：ＹＥＳ）、受け付けた選択に係る機能が重畳画像の作成であるか否かを判定する（ステップＳ３０２）。
【０１１６】
ＣＰＵ２は受け付けた選択に係る機能を重畳画像の作成でないと判定された場合（ステップＳ３０２：ＮＯ）、すなわち、受け付けた選択に係る機能が重畳画像の作成でない他の機能である場合、受け付けた機能の実行を行なう（ステップＳ３１１）。
【０１１７】
一方、ＣＰＵ２が受け付けた選択に係る機能を重畳画像の作成であると判定した場合（ステップＳ３０２：ＹＥＳ）、選択受付部１４はユーザから印の選択を受け付ける（ステップＳ３０３）。
【０１１８】
すなわち、ＣＰＵ２が図３にて示したような操作画面を表示部９に表示し、選択受付部１４がユーザから印の選択を受け付ける。本実施例においては、「二重取消線」、「四角で囲む」、「四角で塗りつぶす」、「追記」という項目に対して、夫々バツ、三角、星印及びプラスという印が夫々選択されるものとする。すなわち、ユーザは各項目毎に「記憶データから選択」のソフトキーをタッチ操作することにより、記憶部５が既に記憶している複数種の印が表示部９に列挙され、ユーザは列挙された印からバツ、三角、星印及びプラスを夫々タッチ操作して選択する。（図３参照）これによって選択受付部１４は印の選択を受け付けることができる。
【０１１９】
選択受付部１４は、前記操作画面を介してユーザから印の選択を受け付ける際、追記すべき文字列の選択も共に受け付ける（ステップＳ３０４）。すなわち、ユーザは「追記事項」の項目に係る「記憶データから選択」のソフトキーをタッチ操作することにより、記憶部５が既に記憶している複数種の文字列が表示部９に列挙され、ユーザは列挙された文字列から何れかの文字列をタッチ操作して選択する。これによって選択受付部１４は追記すべき事項の選択を受け付けることができる。
【０１２０】
このようにして印の選択及び追記事項の選択の受け付けが終了した場合、ＣＰＵ２は表示部９に案内表示を行ない、ユーザは斯かる案内表示に応じて、複合機１００の前記原稿台に原稿を載置し、操作パネル７を適宜操作することにより、該原稿の読み取りを指示する。
【０１２１】
本発明の実施の形態３に係る複合機１００においては、印が書き込まれていない状態の元の原稿に、ユーザが、例えば、パーソナルコンピュータ等を用いてバツ、三角、星印及びプラスという印を付している。また、これに限るものでなく、原稿作成の当時から付していても良い。
【０１２２】
図１３は元の原稿に、ユーザが必要に応じて印を付した場合を例示する例示図である。ユーザは、このように、印を付した原稿を複合機１００の前記原稿台に載置し、操作パネル７を適宜操作することにより、該原稿の読み取りを指示する。
【０１２３】
この際、ＣＰＵ２は操作パネル７を介して斯かる原稿の読み取りの指示を受け付け、画像読取部６に当該原稿の読み取りを指示する。画像読取部６はＣＰＵ２の指示に応じて原稿の読み取りを実行する（ステップＳ３０５）。
【０１２４】
このように画像読取部６によって原稿の読取画像が得られた場合、抽出部１１は斯かる読取画像から印の抽出を行なう（ステップＳ３０６）。すなわち、抽出部１１はステップＳ３０３にて受け付けられた選択に係る印を前記読取画像から抽出する。
【０１２５】
以降、ステップＳ３０７からステップＳ３１４までの処理は、実施の形態１における、ステップＳ１０７からステップＳ１１４までの処理と同一であり、詳しい説明を省略する。
【０１２６】
実施の形態１と同様の部分については、同一の符号を付して詳細な説明を省略する。
【０１２７】
なお、上述した抽出部１１、生成部１２、手書き受付部１３、選択受付部１４、文字列受付部１５、表示制御部１６、変更受付部１７及び印受付部１８は、ハードウェアロジックによって構成してもよいし、ＣＰＵ２が所定のプログラムを実行することにより、ソフトウェア的に構築されてもよい。
【０１２８】
（実施の形態４）
図１４は本発明の実施の形態４に係る複合機１００の要部構成を示す機能ブロック図である。実施の形態４に係る複合機１００は、動作を行うためのコンピュータプログラムが、Ｉ／Ｆ３０を介してＣＤ−ＲＯＭ等の可搬型記録媒体Ａで提供することも可能であるように構成されている。さらに、実施の形態４に係る複合機１００は、前記コンピュータプログラムを、外部装置から図示しない通信部を介してダウンロードすることも可能であるように構成されている。以下に、その内容を説明する。
【０１２９】
実施の形態４に係る複合機１００は外装（又は内装）の記録媒体読み取り装置（図示せず）を備えており、該記録媒体読み取り装置に、読取画像が含む特定画像（印）を抽出させ、抽出された特定画像に係る位置に、前記重畳画像の構成要素となる要素画像を配置して該重畳画像を生成させるプログラム等が記録された可搬型記録媒体Ａを挿入して、例えば、ＣＰＵ２がＲＯＭ３にこのプログラムをインストールする。かかるプログラムはＲＡＭ４にロードして実行される。これにより、本発明の実施の形態４に係る複合機１００として機能する。
【０１３０】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ（登録商標）、フラッシュＲＯＭ等による半導体メモリを含めた固定的にプログラムコードを担持する媒体であっても良い。
【０１３１】
前記通信部を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１３２】
実施の形態１と同様の部分については、同一の符号を付して詳細な説明を省略する。
【０１３３】
本発明の態様１に係る画像形成装置１００は、原稿の画像から読み取った読取画像に基づいて、前記画像に重畳すべき重畳画像を生成し、該画像上に画像形成を行なう画像形成装置１００において、前記読取画像が含む特定画像を抽出する抽出手段１１と、該抽出手段１１によって抽出された特定画像に係る位置に、前記重畳画像の構成要素となる要素画像を配置して該重畳画像を生成する生成手段１２とを備えることを特徴とする。
【０１３４】
本発明によれば、原稿の画像から読み取った読取画像に基づいて、前記画像に重畳すべき重畳画像を生成するにおいて、前記抽出手段が該読取画像に含まれた特定画像を抽出し、前記生成手段が抽出された特定画像に係る位置に前記要素画像を配置することにより該重畳画像を生成する。
【０１３５】
本発明の態様２に係る画像形成装置１００は、前記特定画像は複数種であり、特定画像毎に異なる要素画像を記憶する記憶部５を備え、前記生成手段１２は、前記抽出手段１１によって抽出された特定画像に係る位置に基づき、該特定画像に対応する要素画像が占める領域を定めるように構成されていることを特徴とする。
【０１３６】
本発明によれば、前記生成手段は、抽出された特定画像に係る位置に基づいて該特定画像に対応する要素画像が占める領域を定め、斯かる領域に該要素画像を配置することにより該重畳画像を生成する。
【０１３７】
本発明の態様３に係る画像形成装置１００は、前記特定画像は手書きを含み、該手書きの入力を受け付ける手書き受付手段１３を備えることを特徴とする。
【０１３８】
本発明によれば、前記手書き受付手段はユーザから手書きの入力を受け付け、前記抽出手段は該手書きを特定画像として前記読取画像に含まれた特定画像を抽出する。
【０１３９】
本発明の態様４に係る画像形成装置１００は、前記記憶部５に記憶されている複数種の特定画像から何れかの選択を受け付ける選択受付手段１４を備え、前記抽出手段１１は、該選択受付手段１４が受け付けた選択に係る特定画像を抽出するように構成されていることを特徴とする。
【０１４０】
本発明によれば、前記選択受付手段は前記記憶部に記憶されている複数種の特定画像のうち何れかの選択をユーザから受け付け、前記抽出手段は、前記選択受付手段が受け付けた選択に係る特定画像を前記読取画像から抽出する。
【０１４１】
本発明の態様５に係る画像形成装置１００は、前記複数種の特定画像は、対応する要素画像が文字列である一種の特定画像を含み、該一種の特定画像に係る位置に配置すべき文字列を受け付ける文字列受付手段１５を備えることを特徴とする。
【０１４２】
本発明によれば、前記生成手段は、前記一種の特定画像に係る位置に、前記文字列受付手段がユーザから受け付けた文字列を配置して前記重畳画像を生成する。
【０１４３】
本発明の態様６に係る画像形成装置１００は、前記生成手段１２が生成した重畳画像を前記読取画像に重畳して該重畳画像に係るプレビュー画像を表示する表示制御手段１６を備えることを特徴とする。
【０１４４】
本発明によれば、前記表示制御手段は、前記生成手段が生成した重畳画像を前記読取画像に重畳して該重畳画像に係るプレビュー画像を表示するので、当該原稿の画像（読取画像）と重畳画像との対比が容易となる。
【０１４５】
本発明の態様７に係る画像形成装置１００は、前記生成手段１２は、前記重畳画像を拡大又は縮小できるように構成されていることを特徴とする。
【０１４６】
本発明によれば、前記生成手段は、生成された重畳画像の倍率を変更して、該重畳画像を拡大又は縮小できる。
【０１４７】
本発明の態様８に係る画像形成装置１００は、前記要素画像毎の変更指示を受け付ける変更受付手段１７を備え、前記生成手段１２は、該変更受付手段１７が受け付けた変更指示に基づいて前記重畳画像を変更するように構成されていることを特徴とする。
【０１４８】
本発明によれば、前記生成手段は、前記変更受付手段が受け付けた前記要素画像毎の変更指示に基づいて各要素画像を変更することにより、前記重畳画像を変更する。
【０１４９】
本発明の態様９に係る画像形成装置１００は、前記特定画像の入力を受け付ける特定画像受付手段１８を備えており、前記記憶部５は、一つの要素画像に対して複数の異種の特定画像を対応付けて記憶していることを特徴とする。
【０１５０】
本発明によれば、前記特定画像受付手段が、インタ−ネット、外部ＵＳＢメモリ等を介して前記特定画像の入力を受け付け、前記抽出手段は、前記特定画像受付手段が受け付けた特定画像を前記読取画像から抽出する。
【０１５１】
本発明の態様１０に係る画像生成方法は、原稿の画像から読み取った読取画像に基づいて、前記画像に重畳すべき重畳画像を生成する画像生成方法において、前記読取画像が含む特定画像を抽出する抽出ステップと、該抽出ステップによって抽出された特定画像に係る位置に、前記重畳画像の構成要素となる要素画像を配置して該重畳画像を生成するステップとを含むことを特徴とする。
【０１５２】
本発明の態様１１に係るコンピュータプログラムは、原稿の画像から読み取った読取画像に基づいて、前記画像に重畳すべき重畳画像を生成し、該画像上に画像形成を行なう画像形成装置１００を構成するコンピュータに、前記重畳画像を生成させるコンピュータプログラムにおいて、コンピュータに、前記読取画像が含む特定画像を抽出させる抽出ステップと、コンピュータに、前記抽出ステップによって抽出された特定画像に係る位置に、前記重畳画像の構成要素となる要素画像を配置して該重畳画像を生成させるステップとを実行させることを特徴とする。
【０１５３】
本発明によれば、前記読取画像に含まれた特定画像が抽出され、抽出された特定画像に係る位置に、前記重畳画像の構成要素となる要素画像が配置されることにより該重畳画像が生成される。
【０１５４】
本発明の態様１２に係る記録媒体Ａは、前述のコンピュータプログラムを記録してあることを特徴とする。
【０１５５】
本発明によれば、前記記録媒体に前述のコンピュータプログラムを記録する。コンピュータが前記記録媒体からコンピュータプログラムを読み出して、前述の画像形成装置、及び画像生成方法がコンピュータにより実現される。
【符号の説明】
【０１５６】
２  ＣＰＵ
５  記憶部
１１  抽出部
１２  生成部
１３  手書き受付部
１４  選択受付部
１５  文字列受付部
１６  表示制御部
１７  変更受付部
１８  印受付部（特定画像受付手段）
１００  画像形成装置
Ａ  記録媒体
【図１】
2015076814.tif 000003
【図２】
2015076814.tif 000004
【図３】
2015076814.tif 000005
【図４】
2015076814.tif 000006
【図５】
2015076814.tif 000007
【図６】
2015076814.tif 000008
【図７】
2015076814.tif 000009
【図８】
2015076814.tif 000010
【図９】
2015076814.tif 000011
【図１０】
2015076814.tif 000012
【図１１】
2015076814.tif 000013
【図１２】
2015076814.tif 000014
【図１３】
2015076814.tif 000015
【図１４】
2015076814.tif 000016